(57)【要約】【課題】横揺れに対する石材の倒壊防止効果が高い墓石の免震構造を提供する。【解決手段】墓石本体３は横揺れを吸収する免震手段１０を介して芝台２に設置してある。免震手段１０は、芝台２の上面と中台４の下面にそれぞれ固設された一対の皿型部材１１と、該皿型部材１１の間に収容されて中台４と芝台２との間に隙間δを形成する球体１２とで構成してある。【選択図】図６
0003109637.tif 000002
【実用新案登録請求の範囲】
【請求項１】
墓石本体を横揺れを吸収する免震手段を介して基台に設置したことを特徴とする墓石の免震構造。
【請求項２】
上記免震手段は、平面視において、上記墓石本体の重心を中心とする円上であって、該円を周方向に等分する箇所に配置されていることを特徴とする請求項１に記載の墓石の免震構造。
【請求項３】
上記免震手段は、上記基台の上面と上記墓石本体の下面にそれぞれ固設された一対の皿型部材と、該皿型部材の間に収容されて上記墓石本体と基台との間に隙間を形成する球体とで構成したことを特徴とする請求項２に記載の墓石の免震構造。
【請求項４】
上記皿型部材は、その周縁が上記基台の上面または上記墓石本体の下面とほぼ面一になるように上記基台または墓石本体に埋設されていることを特徴とする請求項３に記載の墓石の免震構造。
【考案の詳細な説明】
【技術分野】
【０００１】
本考案は墓石の免震構造に関する。
【背景技術】
【０００２】
地震発生時に墓石の倒壊を防止する耐震構造が提案されている。例えば、実用新案登録第３０３１７４９号には、墓石を構成する複数の石材をピンを用いて接着固定した構造が記載されている。
【考案の開示】
【考案が解決しようとする課題】
【０００３】
しかし、このように石材同士を単に固定しただけの構造では、地震の大きな横揺れに対する石材の倒壊防止効果は必ずしも充分であるとは言えない。
【０００４】
本考案は、このような事情に鑑み、横揺れに対する石材の倒壊防止効果が高い墓石の免震構造を提供することを目的とする。
【課題を解決するための手段】
【０００５】
上記課題を解決するための本考案は、墓石本体を横揺れを吸収する免震手段を介して基台に設置したことを特徴とする。
【０００６】
上記免震手段は、平面視において、上記墓石本体の重心を中心とする円上であって、該円を周方向に等分する箇所に配置されているのが好ましい。
【０００７】
上記免震手段は、上記基台の上面と上記墓石本体の下面にそれぞれ固設された一対の皿型部材と、該皿型部材の間に収容されて上記墓石本体と基台との間に隙間を形成する球体とで構成するのが好ましい。
【０００８】
上記皿型部材は、その周縁が上記基台の上面または上記墓石本体の下面とほぼ面一になるように上記基台または墓石本体に埋設されているのが好ましい。
【考案の効果】
【０００９】
本考案によれば、地震の際に基台が大きく横に揺れても、この横揺れを免震手段が吸収するので、墓石本体の横揺れが小さくなり、墓石本体の倒壊する可能性が低くなる。
【考案を実施するための最良の形態】
【００１０】
以下、本考案の実施形態を添付図面に基づいて詳細に説明する。
【００１１】
図１は本考案の免震構造を採用した墓石の正面図、図２はその平面図、図３はその縦断面図である。
【００１２】
この墓石１は、地面ＧＬに設置される基台としての芝台２と、芝台２に載置される墓石本体３とからなる。墓石本体３は中台４と上台５と竿石６とからなり、これらの石材４,５,６はステンレス製の丸棒７と接着剤によって連結固定されている（図３参照）。芝台２は地中に埋設された基礎（図示せず）に固定されている。なお、芝台２には焼香台８が載置されるとともに、焼香台８の両側に花台９が配設されている。
【００１３】
図４は芝台２から墓石本体３を取り外した場合の平面図、図５は図４の免震手段を拡大して示す図、図６は免震手段の縦断面図である。
【００１４】
芝台２と中台４の間には、横揺れを吸収する面震手段１０を介設してある（図３参照）。この面震手段１０は、図４に示すように平面視において、墓石本体３の重心Ｇを中心とする円上であって、この円を周方向に４等分する箇所にそれぞれ配置されている。
【００１５】
各免震手段１０は、芝台２の上面と中台５の下面にそれぞれ固設された一対のステンレス製の皿型部材１１と、これら皿型部材１１の間に収容されて芝台２と中台５の間に隙間δを形成するステンレス製の球体１２とで構成してある。皿型部材１１は、その周縁が芝台２の上面または中台４の下面とほぼ面一になるように芝台２または中台４に埋設されている（図６参照）。
【００１６】
中台４は縦横の大きさが７００×７００mm位である場合、墓石本体３の重心Ｇから皿型部材１１の中心までの距離は３２４mm、皿型部材１１の直径は１５０mm、球体１２の直径は２５mm、芝台２と中台４の間に隙間δは５mmにそれぞれ設定するのが好ましい。なお、芝台２と中台４の周縁との間に目地弾性シール材（図示せず）を設けて免震手段１０への雨水の浸入を防止している。
【００１７】
この墓石１は以上のような免震手段１０を備えているので、地震の際に芝台２に大きな横揺れが生じても、墓石本体３の慣性によって、球体１２が皿型部材１１内を転動し、墓石本体３への横揺れの伝達が抑制されることになる。このため、墓石本体３の横揺れが小さくなり、墓石本体３の倒壊する可能性が低くなる。
【００１８】
さらに、各面震手段１０は、上述のように墓石本体３の重心Ｇを中心とする円に対して周方向の等分箇所に配置されているので、墓石本体３の荷重が各面震手段１０によって均等に支持されることになる。このため、球体１２の転動が円滑に行われ、免震効果の向上が期待できる。
【００１９】
また、免震手段１０は一対の皿型部材１１の間に球体１２を収容配置した構造になっているので、大きな横揺れによって、球体１２が皿型部材１１から外れてしまった場合でも、球体１２が芝台２の上面を転動し、免震機能が維持される。つまり、墓石本体３の倒壊を未然に防止することができる。さらに、免震手段１０は構造が簡単で、製作が容易であるという効果もある。
【００２０】
ところで、工場で皿型部材１１を芝台２と中台４に取り付けておき、球体１２の組み付けは墓石１の据付現場で行えばよいので、墓石１の据え付けに手間取ることはない。
【００２１】
さらに、皿型部材１１は、その周縁が芝台２の上面または中台４の下面とほぼ面一になるように芝台２または中台５に埋設されているので、球体１２が芝台２の上面に容易に乗り上げる際の衝撃がなくなる。また、芝台２に墓石本体３を載せた状態での運搬が可能になるという効果もある。
【図面の簡単な説明】
【００２２】
【図１】本考案の免震構造を採用した墓石の正面図。
【図２】図１の平面図。
【図３】図１の縦断面図。
【図４】芝台２から墓石本体３を取り外した場合の平面図。
【図５】図４の免震手段を拡大して示す図。
【図６】免震手段の縦断面図。
【符号の説明】
【００２３】
１      墓石
２      芝台
３      墓石本体
４      中台
５      上台
６      竿石
７      丸棒
１０      免震手段
１１      皿型部材
１２      球体
【図１】
0003109637.tif 000003
【図２】
0003109637.tif 000004
【図３】
0003109637.tif 000005
【図４】
0003109637.tif 000006
【図５】
0003109637.tif 000007
【図６】
0003109637.tif 000008